【手続補正書】
【提出日】平成23年10月31日(2011.10.31)
【手続補正１】
【補正対象書類名】明細書
【補正対象項目名】発明の名称
【補正方法】変更
【補正の内容】
【発明の名称】通信装置、画像処理装置、画像処理システム、それらの制御方法、プログラム
【手続補正２】
【補正対象書類名】特許請求の範囲
【補正対象項目名】全文
【補正方法】変更
【補正の内容】
【特許請求の範囲】
【請求項１】
原稿上の画像を読み取って当該画像に基づく画像データを生成する読取手段を備える画像処理装置と接続される通信装置であって、
前記読取手段が実行すべき読取処理の内容及び当該読取手段により生成された画像データを送信する送信処理の内容を定義したプロセス定義ファイルと、当該プロセス定義ファイルに記述された定義に従って前記読取手段により生成された画像データとを、前記画像処理装置から受信する受信手段と、
前記受信したプロセス定義ファイルに記述された定義に従って、前記受信した画像データを送信する送信手段と、
前記送信手段による画像データの送信にエラーが発生した場合に、当該発生したエラーの内容に応じて、前記プロセス定義ファイルの供給元に対してエラーの発生を通知する必要があるか否かを判定する判定手段と、
前記判定手段が、前記プロセス定義ファイルの供給元に対してエラーの発生を通知する必要があると判定した場合に、当該供給元に対してエラーの発生を通知する通知手段と、を備えることを特徴とする通信装置。
【請求項２】
前記判定手段は、前記発生したエラーが前記プロセス定義ファイルに記述された定義に起因するものである場合に、前記供給元に対してエラーの発生を通知する必要があると判定することを特徴とする請求項１に記載の通信装置。
【請求項３】
前記判定手段が、前記プロセス定義ファイルの供給元に対してエラーの発生を通知する必要がないと判定した場合は、前記通知手段は、前記供給元に対してエラーの発生を通知することなく、前記画像処理装置に対してエラーの発生を通知することを特徴とする請求項２に記載の通信装置。
【請求項４】
前記通知手段が前記供給元に対してエラーの発生を通知した場合に、前記プロセス定義ファイルの使用を制限する制限手段を更に備えることを特徴とする請求項１から３のいずれか１項に記載の通信装置。
【請求項５】
前記通知手段は、前記供給元に対して前記プロセス定義ファイルの記述内容の修正を要求する要求手段を含むことを特徴とする請求項４に記載の通信装置。
【請求項６】
前記供給元において、前記プロセス定義ファイルの記述内容の修正が完了した場合に、前記制限手段による制限を解除する解除手段を更に備えることを特徴とする請求項５に記載の通信装置。
【請求項７】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信するよう外部装置に依頼する依頼手段と、
前記外部装置による画像データの送信にエラーが発生した場合に、当該発生したエラーの内容に応じて、前記プロセス定義ファイルの供給元に対してエラーの発生を通知する必要があるか否かを判定する判定手段と、
前記判定手段が、前記プロセス定義ファイルの供給元に対してエラーの発生を通知する必要があると判定した場合に、当該供給元に対してエラーの発生を通知する通知手段と、を備えることを特徴とする画像処理装置。
【請求項８】
前記判定手段は、前記発生したエラーが前記プロセス定義ファイルに記述された定義に起因するものである場合に、前記供給元に対してエラーの発生を通知する必要があると判定することを特徴とする請求項７に記載の画像処理装置。
【請求項９】
前記通知手段が前記供給元に対してエラーの発生を通知した場合に、前記プロセス定義ファイルの使用を制限する制限手段を更に備えることを特徴とする請求項７または８に記載の画像処理装置。
【請求項１０】
前記通知手段は、前記供給元に対して前記プロセス定義ファイルの記述内容の修正を要求する要求手段を含むことを特徴とする請求項９に記載の画像処理装置。
【請求項１１】
前記供給元において、前記プロセス定義ファイルの記述内容の修正が完了した場合に、前記制限手段による制限を解除する解除手段を更に備えることを特徴とする請求項１０に記載の通信装置。
【請求項１２】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信する送信手段と、
前記送信手段による画像データの送信にエラーが発生した場合に、当該発生したエラーの内容に応じて、前記プロセス定義ファイルの供給元に対してエラーの発生を通知する必要があるか否かを判定する判定手段と、
前記判定手段が、前記プロセス定義ファイルの供給元に対してエラーの発生を通知する必要があると判定した場合に、当該供給元に対してエラーの発生を通知する通知手段と、を備えることを特徴とする画像処理システム。
【請求項１３】
原稿上の画像を読み取って当該画像に基づく画像データを生成する読取手段を備える画像処理装置と接続される通信装置の制御方法であって、
前記読取手段が実行すべき読取処理の内容及び当該読取手段により生成された画像データを送信する送信処理の内容を定義したプロセス定義ファイルと、当該プロセス定義ファイルに記述された定義に従って前記読取手段により生成された画像データとを、前記画像処理装置から受信する受信工程と、
前記受信したプロセス定義ファイルに記述された定義に従って、前記受信した画像データを送信する送信工程と、
前記送信工程における画像データの送信にエラーが発生した場合に、当該発生したエラーの内容に応じて、前記プロセス定義ファイルの供給元に対してエラーの発生を通知する必要があるか否かを判定する判定工程と、
前記判定工程で、前記プロセス定義ファイルの供給元に対してエラーの発生を通知する必要があると判定された場合に、当該供給元に対してエラーの発生を通知する通知工程と、
を備えることを特徴とする通信装置の制御方法。
【請求項１４】
原稿上の画像を読み取って当該画像に基づく画像データを生成する読取手段を備えた画像処理装置の制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信するよう外部装置に依頼する依頼工程と、
前記外部装置による画像データの送信にエラーが発生した場合に、当該発生したエラーの内容に応じて、前記プロセス定義ファイルの供給元に対してエラーの発生を通知する必要があるか否かを判定する判定工程と、
前記判定工程で、前記プロセス定義ファイルの供給元に対してエラーの発生を通知する必要があると判定された場合に、当該供給元に対してエラーの発生を通知する通知工程と、
を備えることを特徴とする画像処理装置の制御方法。
【請求項１５】
原稿上の画像を読み取って当該画像に基づく画像データを生成する読取手段を備えた画像処理システムの制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信する送信工程と、
前記送信工程における画像データの送信にエラーが発生した場合に、当該発生したエラーの内容に応じて、前記プロセス定義ファイルの供給元に対してエラーの発生を通知する必要があるか否かを判定する判定工程と、
前記判定工程で、前記プロセス定義ファイルの供給元に対してエラーの発生を通知する必要があると判定された場合に、当該供給元に対してエラーの発生を通知する通知工程と、
を備えることを特徴とする画像処理システムの制御方法。
【請求項１６】
請求項１３に記載の通信装置の制御方法、請求項１４に記載の画像処理装置の制御方法、及び請求項１５に記載の画像処理システムの制御方法のいずれか１つをコンピュータに実行させるためのプログラム。
【手続補正３】
【補正対象書類名】明細書
【補正対象項目名】０００１
【補正方法】変更
【補正の内容】
【０００１】
本発明は、読取処理の内容及び送信処理の内容を定義したプロセス定義ファイルに従って処理を実行する通信装置、画像処理装置、画像処理システム、それらの制御方法、プログラムに関する。
【手続補正４】
【補正対象書類名】明細書
【補正対象項目名】００１１
【補正方法】変更
【補正の内容】
【００１１】
上記の目的を達成するために本発明の通信装置は、原稿上の画像を読み取って当該画像に基づく画像データを生成する読取手段を備える画像処理装置と接続される通信装置であって、前記読取手段が実行すべき読取処理の内容及び当該読取手段により生成された画像データを送信する送信処理の内容を定義したプロセス定義ファイルと、当該プロセス定義ファイルに記述された定義に従って前記読取手段により生成された画像データとを、前記画像処理装置から受信する受信手段と、前記受信したプロセス定義ファイルに記述された定義に従って、前記受信した画像データを送信する送信手段と、前記送信手段による画像データの送信にエラーが発生した場合に、当該発生したエラーの内容に応じて、前記プロセス定義ファイルの供給元に対してエラーの発生を通知する必要があるか否かを判定する判定手段と、前記判定手段が、前記プロセス定義ファイルの供給元に対してエラーの発生を通知する必要があると判定した場合に、当該供給元に対してエラーの発生を通知する通知手段と、を備えることを特徴とする。